(57)【要約】【課題】本発明は、安定した導通を確保することができるスイッチ構造を提供する。【解決手段】スイッチ構造１は、スイッチノブ２と、バルブ側と電源側とにそれぞれ接続された一対のバスバ４と、を備え、導通部２２は、バルブ側導通部２４と、電源側導通部２５と、を有して形成され、バスバ４は、バルブ側導通部２４に接続するバルブ側バスバ４１と、電源側導通部２５に接続する電源側バスバ４２と、を有して構成され、バルブ側導通部２４及び電源側導通部２５のバスバ４側の面には、スイッチノブ２の揺動に伴ってバスバ４の摺接面４１３，４２２と摺接する摺接面２４１ａ，２５１ａが形成されている。【選択図】図４
2015026514.tif 000002
【特許請求の範囲】
【請求項１】
電源側及び機器側にそれぞれ接続された一対のバスバと、前記一対のバスバを導通させるＯＮ位置と導通を解除するＯＦＦ位置とに亘って揺動自在に設けられたスイッチノブと、を備え、
前記スイッチノブは、前記ＯＮ位置と前記ＯＦＦ位置とを切り替えるために押し込み操作される操作部と、前記操作部が操作される押込方向に沿って前記一対のバスバに対して押圧されるとともに、前記一対のバスバに当接することにより前記一対のバスバ間を導通可能な導通部と、を有して構成され、
前記導通部は、前記ＯＮ位置において、前記電源側に接続されたバスバに当接する第一導通部と、前記機器側に接続されたバスバに当接する第二導通部と、を有し、前記第一導通部及び前記第二導通部のうち少なくとも一方は、前記ＯＦＦ位置において前記バスバと離隔可能に構成され、
前記第一導通部及び前記第二導通部は、それぞれ、前記スイッチノブの揺動に伴って前記バスバに摺接する摺接面を有して形成されていることを特徴とするスイッチ構造。
【請求項２】
前記導通部は、前記操作部に対して前記押込方向に沿って進退自在、かつ、前記押込方向に向かう付勢状態で支持されていることを特徴とする請求項１に記載のスイッチ構造。
【請求項３】
前記一対のバスバのうち、少なくとも一方は、前記導通部に向かって凸に形成された凸部と、前記凸部に連なり前記スイッチノブの揺動方向に沿う平面部と、を有して形成され、
前記第一導通部と前記第二導通部のうち、少なくとも一方には、前記バスバ側に突出するとともに、前記ＯＮ位置と前記ＯＦＦ位置とが切り替えられる際に、前記凸部に摺接しつつ該凸部を乗り越える山部が形成され、該山部の表面に前記摺接面が形成されていることを特徴とする請求項１又は２に記載のスイッチ構造。
【請求項４】
前記山部が形成された前記第一導通部と前記第二導通部のうちの少なくとも一方には、前記バスバから離れる方向に向かって前記山部から延びる傾斜面部が形成され、
前記ＯＮ位置において、前記山部が前記平面部と当接し、前記傾斜面部が前記凸部と当接することを特徴とする請求項３に記載のスイッチ構造。
【発明の詳細な説明】
【技術分野】
【０００１】
本発明は、電源側と機器側とにそれぞれ接続された一対のバスバ間を導通させるＯＮ位置と導通を解除するＯＦＦ位置とを切り替えるスイッチ構造に関する。
【背景技術】
【０００２】
従来、車両には、室内照明灯等の電気機器が設けられており、例えば室内照明灯を点灯及び消灯するためのスイッチ構造が種々提案されている（例えば、特許文献１参照）。
【０００３】
特許文献１に記載の車両用室内照明灯は、スイッチノブと、スイッチノブを揺動自在に支持するスイッチレバーと、ハウジングと、を備えて構成され、スイッチレバーは、スイッチノブが操作されて揺動することにより、ハウジングに収容されたバスバと接触する導電性の接点を有し、接点は、スイッチノブが操作される方向と直交する方向に沿って設けられたばねによりバスバ側に付勢され、接点とバスバとが対向した際に当接して導通させるようになっている。
【先行技術文献】
【特許文献】
【０００４】
【特許文献１】特開２００８−９１２１２号公報
【発明の概要】
【発明が解決しようとする課題】
【０００５】
しかしながら、特許文献１に記載の従来のスイッチ構造は、接点及びバスバの表面において、徐々に酸化皮膜が形成され、酸化皮膜が形成された部分は導電性が低くなるため、長期間使用している場合に、接点とバスバとの間の導通が不安定になりやすいという問題があった。
【０００６】
従って、本発明は、上記のような問題点に着目し、安定した導通を確保することができるスイッチ構造を提供することを目的とする。
【課題を解決するための手段】
【０００７】
上記課題を解決するために、本発明のスイッチ構造は、電源側及び機器側にそれぞれ接続された一対のバスバと、前記一対のバスバを導通させるＯＮ位置と導通を解除するＯＦＦ位置とに亘って揺動自在に設けられたスイッチノブと、を備え、前記スイッチノブは、前記ＯＮ位置と前記ＯＦＦ位置とを切り替えるために押し込み操作される操作部と、前記操作部が操作される押込方向に沿って前記一対のバスバに対して押圧されるとともに、前記一対のバスバに当接することにより前記一対のバスバ間を導通可能な導通部と、を有して構成され、前記導通部は、前記ＯＮ位置において、前記電源側に接続されたバスバに当接する第一導通部と、前記機器側に接続されたバスバに当接する第二導通部と、を有し、前記第一導通部及び前記第二導通部のうち少なくとも一方は、前記ＯＦＦ位置において前記バスバと離隔可能に構成され、前記第一導通部及び前記第二導通部は、それぞれ、前記スイッチノブの揺動に伴って前記バスバに摺接する摺接面を有して形成されていることを特徴とする。
【０００８】
本発明によれば、第一導通部及び第二導通部には、スイッチノブの揺動に伴ってバスバに摺接する摺接面が形成されていることから、導通部とバスバとの当接位置に酸化皮膜が形成されても、スイッチノブのＯＮ位置とＯＦＦ位置とが切り替えられる度に、形成された酸化皮膜が擦られることにより、酸化皮膜を除去することができ、導通の安定性を維持することができる。
【０００９】
また、請求項１に記載のスイッチ構造において、前記導通部は、前記操作部に対して前記押込方向に沿って進退自在、かつ、前記押込方向に向かう付勢状態で支持されていることが好ましい。
【００１０】
このような構成によれば、導通部がバスバに向かって付勢されていることから、スイッチノブの揺動に伴って導通部がバスバに摺接される際に、ばねの押圧力によって摺接される力が強くなり、より確実に酸化皮膜を除去することができる。
【００１１】
また、請求項１又は２に記載のスイッチ構造において、前記一対のバスバのうち、少なくとも一方は、前記導通部に向かって凸に形成された凸部と、前記凸部に連なり前記スイッチノブの揺動方向に沿う平面部と、を有して形成され、前記第一導通部と前記第二導通部のうち、少なくとも一方には、前記バスバ側に突出するとともに、前記ＯＮ位置と前記ＯＦＦ位置とが切り替えられる際に、前記凸部に摺接しつつ該凸部を乗り越える山部が形成され、該山部の表面に前記摺接面が形成されていることが好ましい。
【００１２】
このような構成によれば、スイッチノブの揺動方向に沿って凸部と平面部とが連なって設けられていることから、操作部が操作される際に、山部が凸部に摺接しつつ乗り越えることで節度感を得ることができ、操作性を向上させることができる。
【００１３】
また、請求項３に記載のスイッチ構造において、前記山部が形成された前記第一導通部と前記第二導通部のうちの少なくとも一方には、前記バスバから離れる方向に向かって前記山部から延びる傾斜面部が形成され、前記ＯＮ位置において、前記山部が前記平面部と当接し、前記傾斜面部が前記凸部と当接することが好ましい。
【００１４】
このような構成によれば、ＯＮ位置において、バスバと導通部とが二点で当接することから、これらの間の導通性をさらに向上させることができる。さらに、バスバと導通部とが当接する面積が大きくなることから、バスバと導通部との電気抵抗を小さくすることができ、より安定して導通させることができる。
【発明の効果】
【００１５】
以上のような本発明のスイッチ構造によれば、スイッチノブの揺動に伴ってバスバに摺接する摺接面が導通部に形成されていることから、導通部とバスバとの当接位置に酸化皮膜が形成されても、スイッチノブのＯＮ位置とＯＦＦ位置とが切り替えられる度に摺接面が擦られることにより、酸化皮膜を除去することができ、導通の安定性を維持することができる。
【図面の簡単な説明】
【００１６】
【図１】本発明の一実施形態に係るスイッチ構造を示す分解斜視図である。
【図２】前記スイッチ構造を示す斜視図であり、（ａ）はＯＮ位置を示す図であり、（ｂ）はＯＦＦ位置を示す図である。
【図３】前記スイッチ構造を示す図２（ａ）の矢視ＩＩＩ−ＩＩＩ線断面図である。
【図４】前記スイッチ構造を示す断面図であり、（ａ）は図２（ａ）における矢視ａ−ａ線断面図であり、（ｂ）は図２（ｂ）における矢視ｂ−ｂ線断面図である。
【図５】前記スイッチ構造を示す斜視図であり、（ａ）はＯＮ位置を示す図であり、（ｂ）はＯＦＦ位置を示す図である。
【図６】前記スイッチ構造において、ＯＮ位置とＯＦＦ位置とが切り替えられる中間の状態を示す図である。
【発明を実施するための形態】
【００１７】
以下、本発明の実施形態を図１〜６を参照して説明する。本実施形態のスイッチ構造１は、例えば、車両の室内照明灯において、電源側コネクタＣと接続されるハウジングＨに組み付けられたバルブＶの点灯状態と消灯状態とを切り替えるスイッチ構造として用いられる。図１に示すように、スイッチ構造１は、スイッチノブ２と、バルブＶの光を車内に透過するレンズ３と、バルブ側と電源側とにそれぞれ接続された一対のバスバ４と、を備えて構成されている。また、本実施形態において、一対のバスバ４が導通されるときのスイッチノブ２の位置をＯＮ位置とし、一対のバスバ４の導通が解除されるときのスイッチノブ２の位置をＯＦＦ位置とする。スイッチノブ２がＯＮ位置に移動すると、バルブＶは点灯状態となり、スイッチノブ２がＯＦＦ位置に移動すると、バルブＶは消灯状態となる。なお、本実施形態において、図１に示すように、バスバ４の長手方向を長手方向Ｘとし、矢印Ｘで示す。また、スイッチノブ２の揺動方向を揺動方向Ｙとし、矢印Ｙで示す。揺動方向Ｙにおいて、図１の奥側を一方側とし、図１の手前側を他方側とする。また、スイッチノブ２が押し込み操作される方向を押込方向Ｚとし、矢印Ｚで示す。矢印Ｚにおける上下は、図１を基準とする。
【００１８】
スイッチノブ２は、ＯＮ位置とＯＦＦ位置とを切り替えるために押し込み操作される操作部２１と、押込方向Ｚに沿ってバスバ４に押圧されるとともに、一対のバスバ４に当接可能に設けられた導通部２２と、導通部２２を操作部２１に対して押込方向Ｚに沿って進退自在、かつ、押込方向Ｚに向かう付勢状態で支持するばね２３と、を有して構成されている。
【００１９】
操作部２１は、押し込み操作される操作面部２１１と、後述する揺動軸３２が挿通される軸受穴２１２と、導通部２２に係止する係止爪２１３と、ばね２３の収縮方向が押込方向Ｚとなるようにばね２３を支持するばね支持部２１４と、を有して形成されている。
【００２０】
導通部２２は、後述するバルブ側バスバ４１と接続するバルブ側導通部２４と、後述する電源側バスバ４２と接続する電源側導通部２５と、バルブ側導通部２４及び電源側導通部２５のＺ方向上側に設けられて操作部２１の係止爪２１３が係止される係止部２６と、を有して形成され、バルブ側導通部２４と電源側導通部２５とは長手方向Ｘに沿って並んで設けられている。
【００２１】
バルブ側導通部２４は、Ｚ方向下側に突出するバルブ側山部２４１と、バルブ側山部２４１から揺動方向Ｙに沿って互いに離れる方向かつＺ方向上側に延びて係止部２６と連結する一対のバルブ側傾斜面部２４２と、を有して形成され、電源側導通部２５は、Ｚ方向下側に突出する電源側山部２５１と、電源側山部２５１から揺動方向Ｙの一方側かつＺ方向上側に延びて係止部２６と連結する電源側傾斜面部２５２と、を有して片持ち状に形成されている。一対のバルブ側傾斜面部２４２は、揺動方向Ｙの一方側に延びるバルブ側傾斜面部２４２ａと、他方側に延びるバルブ側傾斜面部２４２ｂと、から構成されている。また、バルブ側山部２４１及び電源側山部２５１のＺ方向下側の面には、スイッチノブ２の揺動に伴ってバスバ４と摺接する摺接面２４１ａ，２５１ａが形成されている。
【００２２】
レンズ３は、光を透過する樹脂素材等を用いて形成され、Ｚ方向上側から下側に亘って開口するとともに、スイッチノブ２の操作部２１が組み付けられる組付部３１と、組付部３１内に設けられて操作部２１を支持する揺動軸３２と、を有して構成されている。
【００２３】
バスバ４は、バルブ側導通部２４に接続するバルブ側バスバ４１と、電源側導通部２５に接続する電源側バスバ４２と、を有して構成されている。バルブ側バスバ４１は、押込方向Ｚの上方向に向かって凸に形成された凸部４１１と、凸部４１１の揺動方向Ｙ他方側に連なる平面部４１２と、を有して形成され、電源側バスバ４２は、平面部４２１を有して形成されている。凸部４１１から平面部４１２に亘るバルブ側バスバ４１のＺ方向上側の面には、スイッチノブ２がＯＮ位置からＯＦＦ位置に切り替えられる際に、摺接面２４１ａと摺接する摺接面４１３が形成され、平面部４２１のＺ方向上側の面には、摺接面２５１ａと摺接する摺接面４２２が形成されている。
【００２４】
次に、組み付け方法の一例について、図１〜３を参照して説明する。まず、スイッチノブ２の操作部２１のばね支持部２１４にばね２３を挿通させ、操作部２１の係止爪２１３と導通部２２の係止部２６とを係止させる。続いて、レンズ３の組付部３１に導通部２２が係止されたスイッチノブ２を挿通させ、揺動軸３２を操作部２１の軸受穴２１２に嵌合させる。以上により、スイッチノブ２は揺動自在に支持される。次に、ハウジングＨのバルブ側端部からバスバ４を組み付け、続いてバルブＶを組み付ける。このようなハウジングＨをスイッチノブ２が組み付けられたレンズ３に嵌合し、図２のように組み付けが完了する。
【００２５】
次に、スイッチノブ２のＯＮ位置及びＯＦＦ位置におけるスイッチノブ２及びバスバ４の状態について、図２〜５を参照して説明する。ＯＮ位置においては、図２（ａ），図４（ａ），図５（ａ）に示すように、導通部２２が揺動方向Ｙの他方側に揺動して、バルブ側山部２４１が平面部４１２と当接し、バルブ側傾斜面部２４２ａが凸部４１１と当接し、電源側山部２５１が平面部４２１と当接することにより、バルブ側バスバ４１と電源側バスバ４２とが導通される。ＯＦＦ位置においては、図２（ｂ），図４（ｂ），図５（ｂ）に示すように、導通部２２が揺動方向Ｙの一方側に揺動し、バルブ側山部２４１が平面部４１２に当接し、電源側山部２５１が電源側バスバ４２と離隔されることにより、バルブ側バスバ４１と電源側バスバ４２との導通が解除される。
【００２６】
次に、スイッチノブ２がＯＮ位置からＯＦＦ位置に切り替えられる際のスイッチノブ２及びバスバ４の状態について、図４，６を参照して説明する。スイッチノブ２が図４（ａ）に示すＯＮ位置から図４（ｂ）に示すＯＦＦ位置に切り替えられる際には、操作面部２１１の揺動方向Ｙの他方側が押込操作され、スイッチノブ２の操作部２１が揺動方向Ｙの一方側に揺動し、操作部２１の揺動に伴って導通部２２が揺動方向Ｙの一方側に揺動する。ＯＦＦ位置からＯＮ位置に切り替えられる際には、操作面部２１１の揺動方向Ｙの一方側が押込操作され、操作部２１が揺動方向Ｙの他方側に揺動し、操作部２１の揺動に伴って導通部２２が揺動方向Ｙの他方側に揺動する。導通部２２が揺動することにより、導通部２２の摺接面２４１ａ，２５１ａと、バスバ４の摺接面４１３，４２２と、が摺接する。また、ＯＮ位置とＯＦＦ位置とが切り替えられる途中において、バルブ側導通部２４のバルブ側山部２４１がバルブ側バスバ４１の凸部４１１を乗り越える際に、導通部２２が操作部２１側に移動してばね２３を収縮させることにより、ばね２３による押圧力が強くなり、摺接面２４１ａと摺接面４１３とが強く摺接する。
【００２７】
以上のような本実施形態によれば、バルブ側導通部２４及び電源側導通部２５には、スイッチノブ２の揺動に伴ってバスバ４の摺接面４１３，４２２と摺接する摺接面２４１ａ，２５１ａが形成されていることから、導通部２２とバスバ４との当接位置に酸化皮膜が形成されても、スイッチノブ２のＯＮ位置とＯＦＦ位置とが切り替えられる度に、形成された酸化皮膜が擦られることにより、酸化皮膜を除去することができ、導通の安定性を維持することができる。
【００２８】
また、導通部２２がばね２３により付勢されていることから、スイッチノブ２の揺動に伴って導通部２２がバスバ４に摺接される際に、ばね２３の押圧力によって摺接される力が強くなり、形成された酸化皮膜をより確実に除去することができる。
【００２９】
また、バルブ側バスバ４１には、揺動方向Ｙに沿って凸部４１１と平面部４１２とが連なって形成され、バルブ側導通部２４には、凸部４１１に摺接しつつ乗り越えるバルブ側山部２４１が形成されていることから、スイッチノブ２が操作される度に節度感を得ることができ、操作性を向上させることができる。
【００３０】
また、スイッチノブ２のＯＮ位置において、バルブ側導通部２４とバルブ側バスバ４１とは、バルブ側山部２４１及び平面部４１２と、バルブ側傾斜面部２４２ａ及び凸部４１１と、の二点において当接していることから、これらの間の導通性をさらに向上させることができる。さらに、バルブ側導通部２４とバルブ側バスバ４１とが当接する面積が大きくなることから、導通部２２とバスバ４との電気抵抗を小さくすることができ、より安定して導通させることができる。
【００３１】
なお、本発明は、前記実施形態に限定されるものではなく、本発明の目的が達成できる他の構成等を含み、以下に示すような変形等も本発明に含まれる。
【００３２】
例えば、前記実施形態においては、スイッチ構造１は、車両の室内照明灯に用いられていたが、他の電気機器のＯＮ状態とＯＦＦ状態とを切り替えるスイッチ構造に用いてもよい。
【００３３】
また、導通部２２がばね２３により付勢されていたが、バスバ４がばねにより導通部２２側に付勢されていてもよい。また、ばね以外の付勢手段により付勢されていてもよい。
【００３４】
また、バルブ側バスバ４１には、凸部４１１が形成されていたが、スイッチノブ２のＯＦＦ位置において、バルブ側導通部２４及び電源側導通部２５の少なくとも一方がバスバ４と離隔可能に設けられていれば、電源側バスバ４２に凸部が形成されていてもよく、バルブ側バスバ４１及び電源側バスバ４２の両方に凸部が形成されていてもよい。
【００３５】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００３６】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３７】
１      スイッチ構造
２      スイッチノブ
３      レンズ
４      バスバ
２１    操作部
２２    導通部
２３    ばね
２４    バルブ側導通部（第二導通部）
２５    電源側導通部（第一導通部）
４１    バルブ側バスバ
４２    電源側バスバ
２４１  バルブ側山部
２４２  バルブ側傾斜面部
４１１  凸部
４１２  平面部
２４１ａ，２５１ａ  摺接面
【図１】
2015026514.tif 000003
【図２】
2015026514.tif 000004
【図３】
2015026514.tif 000005
【図４】
2015026514.tif 000006
【図５】
2015026514.tif 000007
【図６】
2015026514.tif 000008